(57)【要約】  【課題】  投射レンズのバックフォーカスの温度変化に起因する投射像のぼけをなくす。  【解決手段】  ライトバルブ１０５から射出された光を投射レンズ１０６に入射して投射する投射型表示装置において、投射レンズ１０６の端部に取り付けられた取り付け部１０６−Ａとマウント部材とがバックフォーカス補正部材１２１を介して接続されている。バックフォーカス補正部材１２１は環境温度が上昇したとき、熱膨脹係数にしたがって膨脹し、その長さが大きくなる。環境温度が上昇したとき、バックフォーカス補正部材１２１の膨脹によって取り付け部１０６−Ａ部が押され、投射レンズ１０６がマウント部材１１１に対してライトバルブ１０５と反対側に変位して投射レンズ１０６とライトバルブ１０５との間の光路長が大きくなり、温度変化による投射レンズ１０６のバックフォーカスの変化が補正される。【選択図】  図２
2005055801.tif 000002
【特許請求の範囲】
【請求項１】
ライトバルブから射出された光を投射レンズに入射して投射する投射型表示装置において、
温度変化による前記投射レンズの後側焦点位置の変化を、前記投射レンズと前記ライトバルブとの距離を変えることによって補正する補正部材を有することを特徴とする投射型表示装置。
【請求項２】
前記投射レンズを前記補正部材を介して固定するマウント部材を更に有し、温度上昇によって前記補正部材が膨張することによって、前記後側焦点位置を前記投射レンズに近づく方向に移動して補正することを特徴とする請求項１記載の投射型表示装置。
【請求項３】
前記投射レンズを前記補正部材を介して固定するマウント部材を更に有し、温度上昇によって前記補正部材が膨張することによって、前記後側焦点位置を前記投射レンズから遠ざかる方向に移動して補正することを特徴とする請求項１記載の投射型表示装置。
【請求項４】
前記補正部材は前記マウント部材の前記投射レンズ側に接続されていることを特徴とする請求項２記載の投射型表示装置。
【請求項５】
前記補正部材は前記マウント部材の前記ライトバルブ側に接続されていることを特徴とする請求項３記載の投射型表示装置。
【請求項６】
前記後側焦点位置は温度上昇によって前記投射レンズから遠ざかる方向に変化することを特徴とする請求項１〜５のいずれか１項記載の投射型表示装置。
【請求項７】
前記後側焦点位置は温度上昇によって前記投射レンズに近づく方向に変化することを特徴とする請求項１、３又は５記載の投射型表示装置。
【請求項８】
前記ライトバルブは光源からの光を複数の波長に色分解した各色光毎に配置された反射型ライトバルブであり、前記反射型ライトバルブから射出される変調光を検光する偏光ビームスプリッタと、前記検光された各色光を色合成する色合成光学系とを更に有することを特徴とする請求項１〜７のいずれか１項記載の投射型表示装置。
【発明の詳細な説明】
【技術分野】
【０００１】
この発明は投射型表示装置に関する。
【背景技術】
【０００２】
ライトバルブに入射し、このライトバルブを射出した光をプリズム等の光学部材を介して投射レンズに入射させて投射する構成を有する投射型表示装置の一例を図９を用いて説明する。
【０００３】
図９は従来の投射型表示装置の断面を示す概念図である。
【０００４】
この投射型表示装置では、光源光をプリズム部材である偏光ビームスプリッタ１０２を通って偏光ビームスプリッタ１０２に一体的に取り付けられた反射型ライトバルブ１０１に入射させ、反射型ライトバルブ１０１で変調させて偏光ビームスプリッタ１０２に入射し、偏光ビームスプリッタ１０２で変調光を透過光として検光して取り出し、投射レンズ１０５に入射して図示しないスクリーン上に投射する。図９に示すように、投射レンズ１０５は床部材１０６に取り付けられたマウント部材１０７に取り付けられている。また、ライトバルブ１０１を取り付けたプリズム部材である偏光ビームスプリッタ１０２の下面部は一体化取り付け部材１０３に接着剤で固定されている。なお、一体化取り付け部材１０３の端部は折り曲げられ、折り曲げ部はマウント部材１０７に固定されている。
【特許文献１】特開２００１−２４９４０３号公報
【発明の開示】
【発明が解決しようとする課題】
【０００５】
ライトバルブ１０１を射出した光を投射する投射レンズ１０５に対してライトバルブ１０１とスクリーン（図示せず）上の画像とは光学的に共役な関係にあり、ライトバルブ１０１と投射レンズ１０５との間の光路長であるバックフォーカスと、投射レンズ１０５とスクリーンとの間の光路長とを前記共役関係が成立するように投射レンズ１０５が設計され、製造される。
【０００６】
ところで、バックフォーカスの値は環境温度に応じてその値が変化する。通常環境温度が上昇するとバックフォーカスの値が大きくなる。
【０００７】
しかし、図９に示すように、投射レンズ１０５はマウント部材１０７に固定されているので、ライトバルブ１０１と投射レンズ１０５との間の距離を変えることができず、前記共役関係が維持されなくなり、投射像がぼけてしまうという問題がある。
【０００８】
この発明はこのような事情に鑑みてなされてもので、その課題は投射レンズのバックフォーカスの温度変化に起因する投射像のぼけをなくすことである。
【課題を解決するための手段】
【０００９】
請求項１に記載の投射型表示装置は、ライトバルブから射出された光を投射レンズに入射して投射する投射型表示装置において、温度変化による前記投射レンズの後側焦点位置の変化を、前記投射レンズと前記ライトバルブとの距離を変えることによって補正する補正部材を有することを特徴とする。
【００１０】
請求項２に記載の投射型表示装置は、請求項１記載の投射型表示装置において、前記投射レンズを前記補正部材を介して固定するマウント部材を更に有し、温度上昇によって前記補正部材が膨張することによって、前記後側焦点位置を前記投射レンズに近づく方向に移動して補正することを特徴とする。
【００１１】
請求項３に記載の投射型表示装置は、請求項１記載の投射型表示装置において、前記投射レンズを前記補正部材を介して固定するマウント部材を更に有し、温度上昇によって前記補正部材が膨張することによって、前記後側焦点位置を前記投射レンズから遠ざかる方向に移動して補正することを特徴とする。
【００１２】
請求項４に記載の投射型表示装置は、請求項２記載の投射型表示装置前記補正部材は前記マウント部材の前記投射レンズ側に接続されていることを特徴とする。
【００１３】
請求項５に記載の投射型表示装置は、請求項３記載の投射型表示装置において、前記補正部材は前記マウント部材の前記ライトバルブ側に接続されていることを特徴とする。
【００１４】
請求項６に記載の投射型表示装置は、請求項１〜５のいずれか１項記載の投射型表示装置において、前記後側焦点位置は温度上昇によって前記投射レンズから遠ざかる方向に変化することを特徴とする。
【００１５】
請求項７に記載の投射型表示装置は、請求項１、３又は５記載の投射型表示装置において、前記後側焦点位置は温度上昇によって前記投射レンズに近づく方向に変化することを特徴とする。
【００１６】
請求項８に記載の投射型表示装置は、請求項１〜７のいずれか１項記載の投射型表示装置において、前記ライトバルブは光源からの光を複数の波長に色分解した各色光毎に配置された反射型ライトバルブであり、前記反射型ライトバルブから射出される変調光を検光する偏光ビームスプリッタと、前記検光された各色光を色合成する色合成光学系とを更に有することを特徴とする。
【発明の効果】
【００１７】
以上説明したようにこの発明によれば、投射レンズのバックフォーカスの温度変化に起因する投射像のぼけをなくすことができる。
【発明を実施するための最良の形態】
【００１８】
以下、この発明の実施の形態を図面に基づいて説明する。
【００１９】
図１はこの発明の第１実施形態に係る投射型表示装置の基本構成を説明する平面図である。
【００２０】
ランプと放物面形状の凹面鏡とからなる光源１０１から射出された平行光束の光源光は偏光変換照明装置１０２を通って紙面に垂直な方向に振動方向を有する偏光に変換され、時系列色分解光学系１０３で時系列的にＲ（赤）光、Ｇ（緑）光、Ｂ（青）光に色分解される。この色分解光学系１０３は中心軸Ｏを中心に回転する円盤形状をしており、その円盤形状を周方向に３等分してそれぞれＲ光透過、Ｇ光透過、Ｂ光を透過するフィルター部が形成されている。この色分解光学系１０３で分解された各色光は同じ光軸で時系列的に偏光ビームスプリッタ１０４に入射し、偏光分離部で時系列的に反射され、射出面側に配置された反射型ライトバルブ１０５に入射する。ライトバルブ１０５に入射した各色光は色信号によって変調されて反射・射出し、偏光ビームスプリッタ１０４に入射し、変調光だけを透過光として検光して取り出し、投射レンズ１０６に入射し、図示しないスクリーン上に拡大投射する。
【００２１】
ライトバルブ１０５とスクリーン上の投射像とは投射レンズ１０６にとって光学的に共役の関係にあり、ライトバルブ１０５上の一点から所定の開口数（ＮＡ）を有して射出される光束は投射レンズ１０６に入射し、スクリ−ン上の共役点に結像される。投射レンズ１０６と投射レンズ１０６の後側焦点位置にあるライトバルブ１０５との間の光路長はバックフォーカス（後側焦点距離）と呼ばれる。
【００２２】
図２は第１実施形態に係る投射型表示装置の斜視図である。
【００２３】
図２はライトバルブ１０５から投射レンズ１０６までの光路を構成する光学部材を示す。ライトバルブ１０５が所定の側面に取り付けられた偏光ビームスプリッタ１０４の下面は取り付け部材１１２上に固定されている。取り付け部材１１２は投射レンズ１０６を取り付けたマウント部材１１１に固定されている。投射レンズ１０６の鏡筒部の側面部にはマウント部材１１１へ複数のバックフォーカス補正部材１２１を用いて取り付けるための取り付け部１０６−Ａが設けられている。図２に示すように取り付け部１０６−Ａとマウント部材１１１とは４個のバックフォーカス補正部材１２１を介して接続されている。バックフォーカス補正部材１２１の両端部はネジを用いて取り付け部１０６−Ａとマウント部材１１１とにそれぞれ固定されている。
【００２４】
上記方法で投射レンズ１０６と偏光ビームスプリッタ１０４とを取り付けたマウント部材１１１は投射型表示装置の床部１１３（図３参照）に取り付けられる。なお、図示しないが、光源１０１、偏光変換照明装置１０２、色分解光学系１０３は床部１１３上に配置される。
【００２５】
図３は第１実施形態に係る投射型表示装置の断面を示す概念図である。
【００２６】
バックフォーカス補正部材１２１は温度に対して所定の熱膨張係数を有しており、環境温度が上昇したとき、バックフォーカス補正部材１２１は熱膨脹係数にしたがって膨脹し、その長さが大きくなる。バックフォーカス補正部材１２１の膨脹によってその端部に取り付けられた投射レンズ１０６の取り付け部１０６−Ａ部が押され、投射レンズ１０６がマウント部材１１１に対してライトバルブ１０５と反対側に変位して投射レンズ１０６とライトバルブ１０５との間の光路長が大きくなる。投射レンズ１０６が温度上昇に対してバックフォーカスの値が大きくなる特性を有している場合には、変化したバックフォーカスの位置付近にライトバルブ１０５が配置されるようにバックフォーカス補正部材１２１の材質と長さとが決定されている。
【００２７】
この第１実施形態によれば、環境温度が変化して投射レンズ１０６のバックフォーカスの値が変化しても、その変化に応じて投射レンズ１０６のバックフォーカスの位置付近にライトバルブ１０５が配置されるような構成となっているので、バックフォーカスの温度変化に起因する投射像のぼけをなくすことができる。
【００２８】
図４はこの発明の第２実施形態に係る投射型表示装置の基本構成を説明する平面図である。
【００２９】
光源２０１から射出された光源光は偏光変換照明装置２０２に入射し、紙面に垂直な方向に振動方向を有する偏光に変換されて進行し、Ｂ光を反射するダイクロイックミラー２０３Ｂと、Ｒ光とＧ光との混合光を反射する反射ダイクロイックミラー２０３ＲＧとを互いに直交するように配置したクロスダイクロイックミラー２０３に入射し、互いに反対方向に進行するＢ光と、Ｒ光とＧ光との混合光とに色分解される。色分解されたＢ光は偏向ミラー２０４で進行方向を変えて進行し、偏光ビームスプリッタ２０７Ｂに入射し、その偏光分離部で反射され、反射型ライトバルブ２０８Ｂに入射する。
【００３０】
色分解されたＲ光とＧ光との混合光は偏向ミラー２０５で進行方向を変えて進行し、Ｇ光反射ダイクロイックミラー２０６に入射して、反射されるＧ光と透過して進行するＲ光とに色分解され、各色光毎に配置された偏光ビームスプリッタ２０７Ｇ、２０７Ｒにそれぞれ入射し、各偏光分離部で反射され、反射型ライトバルブ２０８Ｇ、２０８Ｒにそれぞれ入射する。
【００３１】
各色光用ライトバルブ２０８Ｒ、２０８Ｇ、２０８Ｂに入射した各色光は色信号によって変調されて反射・射出し、偏光ビームスプリッタ２０７Ｒ、２０７Ｇ、２０７Ｂで変調光を透過光として検光して取り出す。各色光の検光光は色合成光学系を構成するクロスダイクロイックプリズム２０９にそれぞれ異なる入射面から入射し、Ｒ光はＲ光反射ダイクロイック膜２０９Ｒで反射され、Ｂ光はＢ光反射ダイクロイック膜２０９Ｂで反射され、Ｇ光は両膜を透過し、色合成されて射出面から射出する。合成光は投射レンズ２１０に入射し、図示しないスクリーン上にフルカラー像が投射される。
【００３２】
図５は第２実施形態に係る投射型表示装置の斜視図である。
【００３３】
図５は各色光用の反射ライトバルブ２０８Ｒ、２０８Ｇ、２０８Ｂから投射レンズまでの光路を構成する光学部材を示す。反射型ライトバルブ２０８Ｒ、２０８Ｇ、２０８Ｂがそれぞれ所定の側面に取り付けられた偏光ビームスプリッタ２０７Ｒ、２０７Ｇ、２０７Ｂはそれぞれ補助光学板形状部材２１１Ｒ、２１１Ｇ、２１１Ｂを挟んでクロスダイクロイックプリズム２０９の所定の側面に接着剤で固定され、クロスダイクロイックプリズム２０９と一体化している。
【００３４】
クロスダイクロイックプリズム２０９の下面には被助板部材２３１が接着剤でて固定されている。被助板部材２３１の下面は投射レンズ２１０が取り付けられたマウント部材２１３に取り付けられた取り付け部材２１２の上面に固定されている。
【００３５】
投射レンズ２１０のマウント部材２１３への取付法は第１実施形態と同様である。投射レンズ２１０の鏡筒部の側面にはマウント部材２１３へバックフォーカス補正部材２２１を使用して取り付けられる取り付け部２１０−Ａが形成されている。取り付け部２１０−Ａは第１実施形態と異なり四角形である。取り付け部２１０−Ａの四隅部にバックフォーカス補正部材２２１の一端部がそれぞれネジで固定され、その他端部がマウント部材２１３にそれぞれネジで固定される。
【００３６】
マウント部材２１３は投射型表示装置の床部（図示せず）にネジで固定される。
【００３７】
第１実施形態と同様に環境温度が変化して温度が上昇したとき、投射レンズ２１０のバックフォーカスの値が大きくなるが、バックフォーカス補正部材２２１の材料は温度に関してプラスの熱膨脹係数を有しているので、バックフォーカス補正部材２２１の長さが大きくなり、投射レンズ２１０からライトバルブ２０８Ｒ、２０８Ｇ、２０７Ｂまでの光路長が大きくなる。したがって、変化したバックフォーカスの位置付近に複数のライトバルブ２０８Ｒ、２０８Ｇ、２０８Ｂを配置させることができる。
【００３８】
この第２実施形態によれば、第１実施形態と同様の効果を奏する。
【００３９】
図６はこの発明の第３実施形態に係る投射型表示装置の斜視図であり、第２実施形態と共通する部分には同一符号を付してその説明を省略する。
【００４０】
この実施形態はバックフォーカスの温度特性が温度上昇にしたがってバックフォーカスの値が小さくなる特性である場合に適応できるようにした点で第２実施形態と相違する。
【００４１】
この実施形態においては、投射レンズ２１０の鏡筒部側面に取り付け部２１０−Ｂを形成し、取り付け部２１０−Ｂと投射レンズ２１０を取り付けるマウント部材２１３とをフォーカス補正部材２２２を用いて固定する。取り付け部２１０−Ｂは投射レンズ２１０の入射面に近い部分の鏡筒部に取り付けられている。また、取り付け部２１０−Ｂはマウント部材２１３よりクロスダイクロイックプリズム２０９側の投射レンズ２１０への入射面側である、マウント部材２１３に対してライトバルブ２０８Ｒ、２０８Ｇ、２０８Ｂ側に配置されている。バックフォーカス補正部材２２２を用いてマウント部材２１３に取り付け部２１０−Ｂを固定することによって投射レンズ２１０がマウント部材２１３に固定される。
【００４２】
上述のように投射レンズのバックフォーカスの値は温度上昇にしたがって小さくなる。環境温度が上昇したとき、バックフォーカス補正部材２２２はその温度上昇によって自身の正の膨脹係数に従って膨脹して長くなり、その変位量に応じて投射レンズ２１０をライトバルブ２０８Ｒ、２０８Ｇ、２０８Ｂ等の光学部材の配置された側に移動し、その位置を変えることになる。したがって、変化したバックフォーカスの位置付近に複数のライトバルブ２０８Ｒ、２０８Ｇ、２０８Ｂを配置させることができる。投射レンズ２１０のバックフォーカスの位置付近にライトバルブ２０８Ｒ、２０８Ｇ、２０８Ｂが配置されるようにバックフォーカス補正部材２２２の材質と長さとが決定されている。
【００４３】
ライトバルブ２０８Ｇ、偏光ビームスプリッタ２０７Ｇ、クロスダイクロイックプリズム２０９のモジュールが取り付けられた取り付け部材２１２は、マウント部材２１３からの長さが大きい。取り付け部材２１２は通常温度に対して正の温度係数にしたがって膨脹するので、その影響を無視できない。そのため、この実施形態では取り付け部材２１２の膨脹係数を考慮して、バックフォーカス補正部材２２２の材質と長さとが決定される。
【００４４】
この第３実施形態においても、第１実施形態と同様の効果を奏する。
【００４５】
図７はこの発明の第４実施形態に係る投射型表示装置の基本構成を説明する平面図である。
【００４６】
光源３０１から射出された光源光は偏光変換照明装置３０２で紙面に平行で光軸に垂直な方向に振動方向を有する偏光に変換され、偏光回転素子３０３に入射し、Ｇ光だけの振動方向を紙面に垂直な方向に変換して偏光ビームスプリッタ３０４に入射し、偏光分離部で反射されるＧ光と、偏光分離部を透過するＲ光とＢ光との混合光とに色分解される。色分解されたＢ光は偏光ビームスプリッタ３０５に入射し、偏光分離部で反射され、反射型ライトバルブ３０８Ｇに入射する。
【００４７】
偏光ビームスプリッタ３０４を透過したＲ光とＢ光との混合光は偏光回転素子３０６に入射し、Ｒ光だけを紙面に垂直な方向に振動方向を有する偏光に変換して偏光ビームスプリッタ３０７に入射し、偏光分離部で反射されるＲ光と、透過するＢ光とに色分解され、それぞれ反射型ライトバルブ３０８Ｒ、３０８Ｂに入射する。
【００４８】
各色光用のライトバルブ３０８Ｒ、３０８Ｇ、３０８Ｂに入射した各色光は色信号によって変調されて反射・射出する。Ｇ光用ライトバルブ３０８Ｇを射出したＧ光は偏光ビームスプリッタ３０５に入射し、変調光を透過光として検光して取り出し色合成を行う偏光ビームスプリッタ３１０に入射する。
【００４９】
Ｒ光用ライトバルブ３０８Ｒを射出したＲ光は偏光ビームスプリッタ３０７に入射し、変調光を透過光として検光して取り出す。Ｂ光用ライトバルブ３０８Ｂを射出したＢ光は偏光ビームスプリッタ３０７に入射し、変調光を反射光として検光して取り出す。偏光ビームスプリッタ３０７はＲ光の検光光とＢ光の検光光とを合成する。合成光は偏光変換素子３０９に入射してＲ光の振動方向を紙面に垂直な方向に変えて、Ｂ光の振動方向と同じになり、偏光ビームスプリッタ３１０に入射し、偏光分離部で反射され、偏光分離部を透過するＧ光と色合成されて射出面から射出する。合成光は投射レンズ３１１に入射し、図示しないスクリーン上にフルカラー像が投射される。
【００５０】
図８は第４実施形態に係る投射型表示装置の斜視図である。
【００５１】
投射レンズ３１１はマウント部材３１３に取り付けられ、他の構成部材はマウント部材３１３と一体に形成されるとともに、マウント部材３１３と直交する床部材３１４上にそれぞれ配置されている。なお、図示は省略されているが、光源３０１、偏光変換照明装置３０２は床部材３１４の延長面上に配置されている。
【００５２】
この実施形態のように投射型表示装置を構成する光学部材を床部材３１４の上に配置した構成とする場合、床部材３１４の熱膨張係数によって光学部材の位置のずれが大きくなるという問題がある。この実施形態では、投射レンズ３１１のバックフォーカスの値が温度の上昇によって大きくなり、そのバックフォーカスの位置が、ライトバルブ３０８Ｇ、３０８Ｒ、３０８Ｂの位置より手前の投射レンズ３１１側になってしまう場合に対応することができる。
【００５３】
温度上昇にしたがってバックフォーカスの値が大きくなる投射レンズ３１１のマウント部材３１３への取り付け法は前述の実施形態と同様である。合成光の入射面側の鏡筒部に形成した取り付け部３１１−Ａとマウント部材３１３とをバックフォーカス補正部材３１２を用いて固定し、温度上昇時、バックフォーカス補正部材３１２の熱膨張係数によって長さを大きくすることによって投射レンズ３１１をその入射面側である、マウント部材３１３に対してライトバルブ３０８Ｇ、３０８Ｒ、３０８Ｂ等の光学部材の配置した方向に移動させる。温度上昇によって各色光用のライトバルブ３０８Ｇ、３０８Ｒ、３０８Ｂの位置が変位するが、投射レンズ３１１より離れる距離がバックフォーカスの値より大きいので、その差を補正するように、投射レンズ３１１を入射面側に移動させることにより、ライトバルブ３０８Ｇ、３０８Ｒ、３０８Ｂの位置を投射レンズ３１１のバックフォーカスの位置に補正する。
【００５４】
この第４実施形態によれば、第１実施形態と同様の効果を奏する。
【図面の簡単な説明】
【００５５】
【図１】図１はこの発明の第１実施形態に係る投射型表示装置の基本構成を説明する平面図である。
【図２】図２は第１実施形態に係る投射型表示装置の斜視図である。
【図３】図３は第１実施形態に係る投射型表示装置の断面を示す概念図である。
【図４】図４はこの発明の第２実施形態に係る投射型表示装置の基本構成を説明する平面図である。
【図５】図５は第２実施形態に係る投射型表示装置の斜視図である。
【図６】図６はこの発明の第３実施形態に係る投射型表示装置の斜視図である。
【図７】図７はこの発明の第４実施形態に係る投射型表示装置の基本構成を説明する平面図である。
【図８】図８は第４実施形態に係る投射型表示装置の斜視図である。
【図９】図９は従来の投射型表示装置の断面を示す概念図である。
【符号の説明】
【００５６】
１０１、２０１、３０１  光源
１０２、２０２、３０２  偏光変換照明装置
１０３  色分解光学系
１０４、２０７Ｒ、２０７Ｇ、２０７Ｂ、３０４、３０５、３０７、３１０  偏光ビームスプリッタ（光学部材）
１０５、２０８Ｒ，２０８Ｇ、２０８Ｂ、３０８Ｒ、３０８Ｇ、３０８Ｂ  反射型ライトバルブ（ライトバルブ）
１０６、２１０、３１１  投射レンズ
１０６−Ａ、２１０−Ａ、２１０−Ｂ、３１１−Ａ  取り付け部
１１１、２１３、３１３  マウント部材
１１２、２１２  取り付け部材
１１３、２１４、３１４床部材
１２１、２２１、３１２  バックフォーカス補正部材
２０３  クロスダイクロイックミラー
２０４、２０５  偏向ミラー
２０６  ダイクロイックミラー
２０９  クロスダイクロイックプリズム
３０３、３０６、３０９  偏光回転素子
【図１】
2005055801.tif 000003
【図２】
2005055801.tif 000004
【図３】
2005055801.tif 000005
【図４】
2005055801.tif 000006
【図５】
2005055801.tif 000007
【図６】
2005055801.tif 000008
【図７】
2005055801.tif 000009
【図８】
2005055801.tif 000010
【図９】
2005055801.tif 000011